Podtech/llm-jp-corpus-v4-ja_patent huggingface dataset:
(57)【要約】【課題】  従来の杖の石突きにはスリップを防止するため硬質ゴム等が取付けられていた。ところが、このようなものでは先が細いので、砂利道や地盤の軟らかい所では杖が埋まって不安定となり、またブロック敷きの路面のように隙間が有るような所では、突刺さって抜けなくなって困ることが有る。【解決手段】  石突きを広い円盤状としたので、砂利道や軟弱な路面でもめり込むことがなく、また路面に隙間などがあっても入り込む恐れもない。しかも円盤状の石突きを首振り可能にしたことにより、杖をどのような角度に突いても路面に全面で接触するので安定性がある。【選択図】図１
0003138059.tif 000002
【実用新案登録請求の範囲】
【請求項１】
硬質合成樹脂からなり、杖Ａの下端部に取付け可能な取付け部とその下部に自在継手ＢまたはＢ′を介して連なる円盤状の石突き部Ｃとからなり、石突き部の下面には多数の突起７又は凹凸面を有するゴム靴底の如き硬質弾性体からなる滑り止め部材６を貼付けてなる、杖の石突き。
【請求項２】
自在継手を十字継手Ｂとした、請求項１の杖の石突き。
【請求項３】
自在継手を球状継手Ｂ′とした、請求項１の杖の石突き。
【請求項４】
硬質合成樹脂からなり、杖Ａの下端部に取付け可能な取付け部とその下部に自在継手ＢまたはＢ′を介して連なる円盤状の石突き部Ｃとからなり、石突き部の下面には多数の突起７又は凹凸面を有するゴム靴底の如き硬質弾性体からなる滑り止め部材６を貼付けてなる石突きを取付けた、杖。
【考案の詳細な説明】
【考案の詳細な説明】
【産業上の利用分野】
【０００１】  この考案は、杖の石突きに関する。
【背景技術】
【０００２】  従来の杖の石突きには杖と同じ太さの硬質ゴム等が取付けられ、路面に突いたときのスリップを防止するようにされていた。
【考案が解決しようとする課題】
【０００３】  ところが、このようなものでは先が細いので、砂利道や地盤の軟らかい所では杖が埋まってしまい不安定となり、またブロック敷きの路面のように偶に隙間が有るような所では、突刺さって抜けなくなって困ることが有る。これはハイヒールの踵でもよく見かけることである。
【課題を解決するための手段】
【０００４】  本考案は、これを解決するために石突きを広くすることを考えた。しかし石突きを広くすると杖を前のほうに突いたときに、また突いた後移動して杖が後方にいった時に広い下面が斜めに路面にあたり、杖が不安定になってしまう。そこで広い石突きを適当に首振り可能にすることにより、路面に全面で接触するようにした。
【考案を実施するための最良の形態】
【０００５】  以下本考案を図面にもとづいて説明する。
図１は本考案の第一実施例の正面図で、Ａは杖、Ｂは硬質合成樹脂製の十字状自在継手、Ｃは同じく硬質合成樹脂製の円盤状の石突き部である。１は石突きの取付け部でパイプ状杖の下端に挿入され、接着剤又はネジ等で取付けられる。２は自在継手の上部材で取付け部１と一体成形され、３は自在継手の下部材で円盤状石突き部本体５と一体成形される。そして、前記両部材は十字ピン４を介して周知の手法で結合されて十字継手を構成する。前記石突き部本体５は直径４〜５ｃｍ有ればよく、あまり大きければ操作性が悪く、また小さ過ぎれば作用性が悪くなる。６は石突き部下面に貼付けられたゴム靴底の如き硬質弾性体からなる滑り止め部材で、その下面には滑り止めのため多数の突起７又は凹凸面が設けられる。
図２は本考案の側面図、図３は同じく下面図である。
図４は本考案の第二実施例の正面図で、自在継手を球状継手Ｂ′としたもので、２′はその上部材で下端に球状ピン４′を有する。３′は下部材で盤状の石突き部５と一体に形成され、前記球状ピン４′を受け入れて球状継手Ｂ′を構成する欠球状の凹部を有する。これらは、硬質合成樹脂で形成され、下部材の型抜き直後の熱くて柔軟性を有するうちに結合されるが、凹部周辺にスリット８を設けることにより冷却後でも結合することができる。
球状継手を採用すると、自在継手の構造が簡単になると共に、杖にかかる力の石突きに対する作用点を下げ、杖を突いたときの石突きの安定性をより増すことが出来る。
なお、杖が木製等中実の場合、図５のように取付け部はパイプ状としてその中に杖下端を差し込み取付けるようにする。
【考案の効果】
【０００６】  本願考案によれば、広い円盤状の石突きにより砂利道や軟弱な路面でもめり込むこともなく、また路面に隙間などがあっても入り込む恐れもなく、しかも杖をどのような角度に突いても首振り作用により広い円盤状の石突き下面の滑り止め突起が全面で路面に接触するので非常に安定性があり、実用的である。
【図面の簡単な説明】
【図１】本考案の第一実施例の、杖下端を断面で表した正面図
【図２】同じく側面図
【図３】本考案の下面図
【図４】本考案の第二実施例の、杖下端を断面で表した正面図
【図５】中実の杖に対する取付け部の、一部断面で表した正面図
【符号の説明】
Ａ  杖、  Ｂ、Ｂ′  自在継手、  Ｃ  石突き部
１  取付け部、  １′取付け部の他例、  ２  十字継手上部材、  ３  同下部材、
２′球状継手上部材、３′同下部材、    ４  十字ピン、        ４′球状ピン、
５  石突き部本体、６  滑り止め部材、  ７  滑り止め突起、    ８  スリット、
９  把手
【図１】
0003138059.tif 000003
【図２】
0003138059.tif 000004
【図３】
0003138059.tif 000005
【図４】
0003138059.tif 000006
【図５】
0003138059.tif 000007
(57)【要約】【課題】土鍋を使用中に、はずしたふたの置き場所として広いスペースを必要とし、また、ふたを伏せて置くと水滴が垂れること等の解消。【解決手段】土鍋のふたが横向きに自立するよう、ふたの表側外周部に２つ、支えとなる突起を設ける。この突起は、土鍋のふたを横向きに立てた際、安定的に自立するような位置・角度により設ける。併せて、ふたの裏側の、横向きに立てた際に下端にあたる部分に、仕切り状の部分を設け、立てた際に水滴を受けるポケットとする。【選択図】図１
0003138060.tif 000002
【実用新案登録請求の範囲】
【請求項１】
横向きに自立するための支えをもった、土鍋のふた。
【請求項２】
横向きに立てたときに水滴を受けるためのポケットをもった、土鍋のふた。
【考案の詳細な説明】
【技術分野】
【０００１】本考案は、土鍋のふたに関する。
【背景技術】
【０００２】従来の土鍋のふたは、伏せて置くか、上向きに置くほか、置き方はなかった。
【考案の開示】
【考案が解決しようとする課題】
【０００３】これまでは、土鍋を使用中にふたをはずした際、ふたを置くために、ある程度広い場所が必要であり、また、ふたを伏せて置けば下に水滴がこぼれ、上向きに置く場合には手が熱いふたに触れないよう注意を要した。
【課題を解決するための手段】
【０００４】土鍋のふたを横向きに自立させるため、ふたの表側外周部に、支えとなる突起を設ける。
この突起は、土鍋のふたを横向きに立てた際、安定的に自立するような角度、位置に設ける。
ふたの裏側の、横向きに立てた際に下端にあたる部分に、仕切りを設け、水滴を受けるポケットとする。
【考案の効果】
【０００５】土鍋を使用中に、ふたをとる際、卓上などのわずかなスペースにふたを立てて置くことができ、またふたの内側についていた水滴が卓上等に滴る量を、大幅に減じることができる。
【考案を実施するための最良の形態】
【０００６】本考案にかかる土鍋のふたは、図１に示すように、立てて置くことが出来るが、そのための支えは、図２に示すような位置に、２つ設けることが、安定のために望ましいと考えられる。
裏側は図３に示すように、水滴を受けるための最小限の大きさの仕切りを設け、仕切りの内側は、再びふたを鍋に置いた際に水滴が落ちやすく、また洗浄が容易となるよう、ゆるい曲面をもった形状とするのが望ましい。
本考案により、従来の土鍋のふたで多く見られる、ふたを逆さに置くことを考慮した高台型の持ち手ではなく、棒型あるいはつまみ型など、熱くなりにくい持ち手を採用することが容易となる。
【実施例】
【０００７】
【産業上の利用可能性】
【０００８】
【図面の簡単な説明】
【０００９】
【図１】本考案にかかる土鍋のふたを、立てた状態を示した斜視図である。
【図２】本考案にかかる土鍋のふたを示した三面図である。
【図３】本考案にかかる土鍋のふたの裏面を示した平面図と、ふたの断面図である。
【符号の説明】
【００１０】１    土鍋が横向きに立つための支え
２    水滴を受けるポケット
【図１】
0003138060.tif 000003
【図２】
0003138060.tif 000004
【図３】
0003138060.tif 000005
(57)【要約】      （修正有）【課題】電車の高速走行時に発生する集電系騒音を著しく沈静消音する消音トロリ線を提供する。【解決手段】略Ｕ字型に成型された消音トロリ線１の中心線の上部に任意の深さを有する被覆嵌合溝を設け、消音トロリ線１の上部両側面に略山型に成型された振動ハンガー装着溝を設け、略逆山字型に成型された騒音沈静被覆をそれぞれ接着、嵌合してなる消音トロリ線。【選択図】図２
0003138051.tif 000002
【実用新案登録請求の範囲】
【請求項１】
略Ｕ字型に成型された消音トロリ線（１）の上部両側に略逆山型に成型された振動ハンガー装着溝（２）を設け、中心線上部に任意の深さを有する被覆嵌合溝（３）を設け、騒音沈静被覆ａ，ｂ，ｃ，ｄ（４）をそれぞれ接着、嵌合して、電車の高速走行時に発生する集電系騒音を消音トロリ線内に伝播してなる消音トロリ線である。
【考案の詳細な説明】
【考案の詳細な説明】
【技術分野】
【０００１】本考案は、電車の高速走行時に発生する集電系騒音を著しく沈静消音する消音トロリ線に関するものである。
【背景技術】
【０００２】トロリ線の冶金学的分野における研究は、日日研鑽され高速走行を可能にし、さらなる高速化の実現については、パンタグラフに装着するスリ板の改良による研究がなされているが、７５ホンの制限基準内での更なる高速走行は実現されていない。
【考案が解決しようとする課題】
【０００３】従来の技術で述べたごとく、パンタグラフとトロリ線の接触圧力によって発生する集電系騒音を、沈静消音する消音トロリ線を提供しようとするものである。
【課題を解決するための手段】
【０００４】上記目的を解決するため、消音トロリ線の両側面に成型された振動ハンガー装着溝を備え、略Ｕ字型に成型されたトロリ線の中心線上部に略Ｕ字型に成型された被覆嵌合溝を設け、逆山字型に成型された騒音沈静被覆（ａ）（ｂ）（ｃ）（ｄ）を嵌合、接着し、伝播される高速走行時に発生する集電系騒音を、沈静消音する。
【考案を実施するための最良の形態】
【０００５】実施の形態について図面を参照して説明する。
図１に示すごとく、略Ｕ字型に成型された消音トロリ線（１）の中心線上の上部に被覆嵌合溝（３）を設け、消音トロリ線（１）の上部両側面に振動ハンガー装着溝（２）を設ける。【０００６】図２，図３，図５、図６に示すごとく、騒音沈静被覆は、騒音沈静被覆ａ（４）、騒音沈静被覆ｂ（４）騒音沈静被覆ｃ（４）騒音沈静被覆ｄ（４）からなり被覆嵌合溝（３）と、振動ハンガー装着溝（２）に嵌合、接着して集電系騒音を沈静消音する。さらには騒音沈静被覆ａ，ｂ，ｃ，ｄ〔４〕の接着表面積の大なるほど集電系騒音は沈静消音される。また騒音沈静被覆ａ，ｂ，ｃ，ｄ（４）は、例えば合成ゴム、または合成樹脂を用い押し出し成型加工により３ｍｍ〜１０ｍｍ程度の肉厚を有し逆山字型に成型されている。【０００７】図３に示す騒音沈静被覆ａとｂの接合点は、相対して４５度程度の斜辺に加工して雨水の侵入防止している。【０００８】図５および図６に示すごとく、消音トロリ線（１）の中心線上部に設けた被覆嵌合溝（３）に嵌合する騒音沈静被覆ａ，ｂ，ｃ，ｄ（４）の長、短を任意の長さにとどめ被覆嵌合溝（３）の底部に騒音沈静空洞（５）を形成する。【０００９】消音トロリ線（１）から伝播された高速走行時に発生する集電系騒音は、騒音沈静空洞（５）に収音されて騒音放出孔（６）より大気中に放出して消音され、７５ホンの制限基準内において更なる高速走行を実現する。また図４に示すごとく騒音放出孔（６）は任意の等間隔で穿孔されている。
【考案の効果】
【００１０】本考案は、上述のごとく構成されているので、次に記載する効果を奏する。
電車の高速走行時に発生する集電系騒音の大、小に対応し、消音トロリ線の長手方向に連続して伸びる被覆嵌合溝に図２、図５、図６で示す騒音沈静被覆ａ，ｃ，ｄを選別施工し集電系騒音を消音する。
【図面の簡単な説明】
【図１】消音トロリ線断面図
【図２】騒音沈静被覆ａを示す断面図
【図３】消音トロリ線側面図
【図４】騒音沈静被覆ａ，ｂの平面図
【図５】騒音沈静被覆ｃの嵌合断面図
【図６】騒音沈静被覆ｄの嵌合断面図
【符号の説明】
１・・・消音トロリ線
２・・・振動ハンガー装着溝
３・・・被覆嵌合溝
４・・・騒音沈静被覆（ａ）（ｂ）（ｃ）（ｄ）
５・・・騒音沈静空洞
６・・・騒音放出孔
【図１】
0003138051.tif 000003
【図２】
0003138051.tif 000004
【図３】
0003138051.tif 000005
【図４】
0003138051.tif 000006
【図５】
0003138051.tif 000007
【図６】
0003138051.tif 000008
(57)【要約】【課題】  本考案は、水洗トイレ受け皿用洗浄剤容器に掃除機能を付け受け皿の、こまめな清掃を促し掃除用具の保管場所を簡易に設ける。【解決手段】  本考案は洗浄薬剤を置くだけにせずその一部に掃除機能を加えることによりスム−ズな清掃を行い簡易に掃除器具を保管することができる。【選択図】図１
0003138054.tif 000002
【実用新案登録請求の範囲】
【請求項１】
トイレおよび水洗トイレの水を補充したり、手を洗う受け皿の汚れを綺麗に落すにあたり、洗浄剤容器に掃除に適した材料を付け、簡易に掃除が出来るようにした容器である。
【考案の詳細な説明】
【技術分野】
【０００１】  本考案は容器に掃除機能を付けたトイレ用洗浄剤容器に関するものである。
【背景技術】
【０００２】  水洗トイレの手洗い用受け皿は、汚れやすい。  使いふるしの歯ブラシなどで掃除してはいるが、その保管場所に困っていた。
【考案の開示】
【０００３】  水洗トイレ上置式洗浄剤の容器に新たに掃除機能をもたせる。
【考案が解決しようとする課題】
【０００４】  受け皿の汚れを手軽に簡易な方法で掃除ができ、器具保存場所も簡易でありたい。
【課題を解決するための手段】
【０００５】  本考案は、手軽に掃除器具の保存場所を考えずにすむように容器に掃除用具をつけた。
【考案の効果】
【０００６】  受け皿を手軽にこまめに掃除でき、常に清潔にできる。  掃除器具の保存場所も考えないですむ。
【考案の実施するための最良の形態】
【０００７】  容器本体の薬が出る穴を損なう事無く掃除材料を接合させる。
【実施例】
【０００８】  以下、添付図面に従って実施例を説明する。  図の材料はブラシ、スポンジ、カ−ル状ワイヤ−、ナイロンたわしｅｔｃ、掃除に適したものにする。  １は、それぞれの材料を本体と直接接着させる。  ２は、それぞれの材料をマグネットで本体と接合させる。  ３は、ビンなどの蓋のように、ねじって接合させる。  ４は、はめ込んでねじって、ひっかける方法である。  いずれの場合も本体の薬剤の流れを止めない、穴を塞がないこととする。
【図面の簡単な説明】
【０００９】
【図１】  本考案の掃除機能付洗浄剤容器の実施例を示す正面図である。本体と直接、接着する。
【図２】  本体とゴムマグネット、又はマグネットで直接本体と接着する。
【図３】  本体と、ねじりあわせて、結合させる。
【図４】  本体と、はめ込んでねじって、ひっかけて結合させる。
【図５】  図４の結合部の図
【符号の説明】
【００１０】１  直接、接着
２  マグネット又はゴムマグネットで接着
３  ねじりあわす
４  はめ込む
【図１】
0003138054.tif 000003
【図２】
0003138054.tif 000004
【図３】
0003138054.tif 000005
【図４】
0003138054.tif 000006
【図５】
0003138054.tif 000007
(57)【要約】      （修正有）【課題】通常の名刺サイズの半分程度とすることでポケットに簡単に入るサイズにし、私的な日常生活においても新たな人々と出会い、自己紹介や連絡先を交換する機会に手軽に持ち運び使えるようにする。【解決手段】縦寸法を３０ミリメートル（ｍｍ）、横寸法を７０ミリメートル（ｍｍ）の長方形、または、縦寸法を４５ミリメートル（ｍｍ）、横寸法を４５ミリメートル（ｍｍ）の正方形とし、持ち運びに便利な矩形としている。また、折れ曲がりやインクが他の面に付着するといった質の低下を防ぐためカード表裏両面にＰＰ加工を施している。【選択図】図１
0003138022.tif 000002
【実用新案登録請求の範囲】
【請求項１】
縦寸法を３０ミリメートル（ｍｍ）〜４５ミリメートル（ｍｍ）、横寸法を４５ミリメートル（ｍｍ）〜７０ミリメートル（ｍｍ）とする矩形であり、表裏両面ＰＰ加工を施し、表面に文字情報を印刷し、裏面に画像を印刷したことを特徴とするカード。
【請求項２】
表面の文字情報は、氏名、住所、電話番号、メールアドレス、誕生日、血液型等の個人情報およびメッセージであることを特徴とする請求項１に記載のカード。
【請求項３】
裏面の画像は、写真を使用していることを特徴とする請求項１または請求項２に記載のカード。
【考案の詳細な説明】
【技術分野】
【０００１】  本考案は、携帯しやすい形状にしたカードに関するものである。
【考案の開示】
【考案が解決しようとする課題】
【０００２】  ビジネスの場では名刺を出会う人々と交換することにより、連絡先についてなどの情報を簡易にやり取りしている。それに対し主婦、学生、子供等を含め私的な日常生活においても新たな人々と出会い、自己紹介や連絡先を交換する機会はあるにもかかわらず、カードを使って交換するという習慣はあまりない。これは自ら作成する必要があるなどの理由以外に、通常の名刺サイズでは常時携帯し持ち歩くのには大きく、邪魔になるためといった形状上の理由がある。また、携帯する場合にも折れ曲がったり、インクが他の面に付着するなどの問題が起こる。本考案はこの課題を解消するためになされたものである。
【課題を解決するための手段】
【０００３】  上記課題を解決するために、縦寸法を３０ミリメートル（ｍｍ）、横寸法を７０ミリメートル（ｍｍ）の長方形、または、縦寸法を４５ミリメートル（ｍｍ）、横寸法を４５ミリメートル（ｍｍ）の正方形とし、通常の名刺サイズの半分程度の大きさとすることで持ち運びに便利な矩形としている。【０００４】  ポケットに入れて携帯することにより、折れ曲がりや高温多湿下のこすれてインクが他の面に付着する質の低下を防ぐため、カード表裏の両側の表面にＰＰ（ポリプロピレン）フィルム層を圧着する加工を施している。
【考案の効果】
【０００５】  上記のように通常の名刺サイズの半分程度とすることでポケットに簡単に入るサイズになり、私的な日常生活においても新たな人々と出会い、自己紹介や連絡先を交換する機会に手軽に持ち運び使えるようになる。【０００６】  表裏両面にＰＰ加工を施すことで、強度が強くなり折れ曲がりずらくなる。またカードを重ねて保持していても印刷面は保護されるため、インク汚れを気にする必要がなくなる。裏面に写真を印刷することで、自己紹介や連絡先を交換する用途以外にも利用することができる。
【考案を実施するための最良の形態】
【０００７】  縦寸法を３０ミリメートル（ｍｍ）、横寸法を７０ミリメートル（ｍｍ）の長方形、または、縦寸法を４５ミリメートル（ｍｍ）、横寸法を４５ミリメートル（ｍｍ）の正方形とし、表裏両面にＰＰ加工を施す。
【実施例１】
【０００８】  添付図面に添って実施例を説明する。図１は長方形の矩形の表面である。会社名、氏名、メールアドレス、ホームページアドレスを印刷することで名刺としての機能を果たしている。
【実施例２】
【０００９】  図２は正方形の矩形の（ａ）表面（ｂ）裏面である。（ａ）表面に日付、場所、メッセージを印刷することで、（ｂ）の写真を撮った日付、場所、状態を示している。
【図面の簡単な説明】
【００１０】
【図１】長方形の矩形の実施例を示す平面図である。
【図２】正方形の矩形の実施例を示す平面図である。（ａ）は表面の文字情報印刷面であり、（ｂ）は裏面の画像印刷面である。
【図３】台紙の拡大した断面側面図である。
【符号の説明】
【００１１】  １  台紙
２  ＰＰ（ポリプロピレン）フィルム層
【図１】
0003138022.tif 000003
【図２】
0003138022.tif 000004
【図３】
0003138022.tif 000005
【手続補正書】
【提出日】平成19年8月16日(2007.8.16)
【手続補正１】
【補正対象書類名】図面
【補正対象項目名】図１
【補正方法】変更
【補正の内容】
【図１】
0003138022.tif 000006
(57)【要約】【課題】本考案は段籠に数個の宅配物を入れて携帯することで、宅配のスピードアップを図る。【解決手段】本考案は段ボール籠を背負うことで両手が使え、どんな場所でも移動可能、商品を直に床に置く事も無く、衛生的に受け渡しが可能。【選択図】図１
0003138029.tif 000002
【実用新案登録請求の範囲】
【請求項１】
宅配業者用に、数個の荷物を持って配達先を回る場合の移動用背負い籠。
【考案の詳細な説明】
【技術分野】
【０００１】  本考案は、段ボール籠にベルトをつけて背負えるようにした、宅配用品に関するものである。
【背景技術】
【０００２】  宅配業者が、道路交通法の改善に伴い路上駐車ができなくなり、駐車場から個別宅配に移動する場合、数個の多種多様な荷物の携帯に苦労していた。
【考案の開示】
【考案が解決しようとする課題】
【０００３】数個の宅配だけで、リヤカーや押し車を使用するのは大げさな時で、手に持つのは受け取りの時の手が塞がって、不便である。従って、数個の宅配物の携帯の形を考えたものである。
【課題を解決するための手段】
【０００４】軽量な段ボールで籠を製作し、その中に配達物を入れ、背負うことで、問題を解決している。
【考案の効果】
【０００５】上述のように、背負うことで狭い所でも、段差のある所でも両手が使え、商品を床に直接置くことがないため、衛生的でもある。
【考案を実施するための最良の形態】
【０００６】軽量かつ丈夫な段ボールで籠を作り、ベルトを通して背負えるようにする。
【実施例】
【０００７】以下、添付図面に従って一実施例を説明する。１は段ボール製にて、２は底パッド、３の調節可能なベルトを通して使用する。
【図面の簡単な説明】
【０００８】
【図１】本考案の段籠の組立て後の形状を示す斜視図である。
【図２】段籠の展開図である。
【符号の説明】
【０００９】１  段籠本体
２  底パッド
３  肩ベルト
【図１】
0003138029.tif 000003
【図２】
0003138029.tif 000004
【手続補正書】
【提出日】平成19年10月15日(2007.10.15)
【手続補正１】
【補正対象書類名】実用新案登録請求の範囲
【補正対象項目名】全文
【補正方法】変更
【補正の内容】
【実用新案登録請求の範囲】
【請求項１】
組立て型の段ボール箱の底にパッドを敷いて、背中に当る面の上下４箇所に穴を開け、背負えるようにベルトを付けた、宅配業者用に数個の荷物を持って配達先を回る場合の移動用背負い籠。
(57)【要約】【課題】  通常、家庭用具は主目的に集中して工夫されて作られている。そのため使用中、使用後、の用具に対する配慮が充分でないものが多い。  結果的に、不便、非衛生、不安定等の問題がある。  本考案はこの欠点を解決しようとするものである。【解決手段】  当該用品柄部分にＺ字型の曲りを一体的に作り、飲食や調理中、及び清掃，洗浄時に、容器の縁にフック出来るように考案し前述の課題を解決している。【選択図】  図２
0003138030.tif 000002
【実用新案登録請求の範囲】
【請求項１】
飲食用スプーン柄部分に一体的にＺ字型の曲がりを付け、中空容器に当該器具が沈殿する事を防止し、汚れや不衛生になることを阻止する事を特徴とするＺ字型柄をもつ家庭用具。
【請求項２】
調理用スプーン柄部分に一体的にＺ字型の曲がりを付け、中空容器に当該器具が沈殿する事を防止し、汚れや不衛生になることを阻止する事を特徴とするＺ字型柄をもつ家庭用具。
【請求項３】
身の洗浄または清浄用具柄部分に一体的にＺ字型の曲がりを付け、中空容器に当該器具が沈殿する事を防止し、汚れや不衛生になることを阻止する事を特徴とするＺ字型柄をもつ家庭用具。
【請求項４】
バター又は類似のものを形成する道具柄に一体的にＺ字型の曲がりを付け、中空容器に当該器具が沈殿する事を防止し、汚れや不衛生になることを阻止する事を特徴とするＺ字型柄をもつ家庭用具。
【請求項５】
ビン又は類似の中空容器の洗浄具柄に一体的にＺ字型の曲がりを付け、中空容器に当該器具が沈殿する事を防止し、汚れや不衛生になることを阻止する事を特徴とするＺ字型柄をもつ家庭用具。
【請求項６】
請求項１、請求項２、請求項３、請求項４又は請求項5のいずれか一項に記するＺ字型柄をもつ家庭用具。
【考案の詳細な説明】
【技術分野】
【０００１】
本考案は、Ｚ字型柄を一体的に作ったＺ字型柄をもつ家庭用具に関するものである。
【背景技術】
【０００２】
ジャムやバター、蜂蜜を掬い取った際、スプーンは横に置くか容器に突き刺すのが通常で、柄の部分にジャムや蜂蜜が付着するケースが多い。又、調理器具として使用される柄杓型スプーンでも、スープやサラダを掬い取った際に、同様の不具合がある。歯ブラシ、トイレ、風呂等の身の洗浄や清掃用具柄においても同様である。
【特許文献１】特開平７−１１１９１５号  公報
【特許文献２】実開平６−９５７０号  公報
【考案の開示】
【考案が解決しようとする課題】
【０００３】
飲食使用時及び調理使用時にスプーンが中空容器に倒れ込むことや沈殿する事を防止し, 歯ブラシ、トイレ、風呂等の身の洗浄や清掃用具柄においても同様、家庭用具の柄が汚れや不衛生になることを解決しようとするものである。
【課題を解決するための手段】
【０００４】
本考案は、飲食用家庭用具柄、調理用家庭用具柄、身の洗浄または清浄用具柄、バター又は類似のものを形成する道具柄、ビン又は類似の中空容器の洗浄具柄などに、Ｚ字型の曲がりを一体的に付けた家庭用具である。このような構成にすることで、中空容器に当該器具が沈殿する事を防止し、汚れや不衛生になることを阻止し、一体的に作られたＺ字型の曲がりが中空容器の縁に容易にフック出来るようにされたＺ字型柄をもつ家庭用具によって問題点を解決している。
【考案の効果】
【０００５】
上述の様に、本考案の一体的に作られたＺ字型柄をもつ家庭用具を使用する事により、飲食・調理中にスプーンや柄杓が容器内に落ち込むことや倒れて汚れが付着することが無くなり、歯ブラシ、トイレ、風呂等の身の洗浄や清掃用具柄においても同様、家庭用具の柄が汚れや不衛生になることを防止し、結果、容易な収納が可能で、衛生的にも非常に役立つ。
【考案を実施するための最良の形態】
【０００６】
製造工程において、家庭用具柄に一体的にＺ字型のまがりを付けることで機能的に多くの可能性が生まれる。ストッパーの役目、握りの役目、安定性、衛生的等である。加えて生産面においても、合理的でコストを安くすることができ、外観的にもＺ字型の曲線には違和感が無く、多くの家庭用具柄に適用される可能性がある。  
【０００７】
以下、添付図面に従って一実施例を説明する。
図４、は飲食中のジャム容器に該スプーンをフックしたものである。容器の縁にフックすることは簡単で、深くスプーンが入り込むことを防ぎ、握り部分を汚すことが無い。
【０００８】
図５、はスープ鍋に調理用柄杓（スプーン）をフックしたものである。深さも有り落ち込む事や倒れ込む事があるところを、当該器具のＺ字型ストッパーがそれを防止している。
【０００９】
図６、は収納具に使用後の歯ブラシをフックしたものである。ブラシ部分が触れ合うことや底に沈殿して不衛生になることを防止している。
【図面の簡単な説明】
【００１０】
【図１】一実施形態の側面図である。
【図２】図1の主要部の拡大部分を示す図である。
【図３】図２の拡大部分説明図である。
【図４】一実施例1、ジャム容器にＺ字型柄スプーンを示す図である。
【図５】一実施例2、調理用鍋にＺ字型柄スプーンを示す図である。
【図６】一実施例3、収納カップに示すＺ字型柄歯ブラシを示す図である。
【符号の説明】
【００１１】
１    スプーンと柄の部分の間で、一体的に作られたＺ字型曲線
２    柄とスプーンの部分の間で、一体的に作られたＺ字型曲線
３    スプーンへ
４    柄部分へ
【図１】
0003138030.tif 000003
【図２】
0003138030.tif 000004
【図３】
0003138030.tif 000005
【図４】
0003138030.tif 000006
【図５】
0003138030.tif 000007
【図６】
0003138030.tif 000008
(57)【要約】【課題】糸の先端を確実に固定し、かつリールの作動に支障をきたす事態を防止することを可能にするリールのスプールを提供する。【解決手段】スプール１０の中軸２０に陥凹部２２を設けることにより、中軸２０の表面２１に対応する位置決めピン４０の頂端の高さを低くし、かつ位置決めピン４０の頂端が中軸２０の表面２１から少々突出しても、位置決めピン４０が糸に干渉するような事態を減少させる。かつ位置決めピン４０の頂端の位置を中軸２０の表面２１より低くするか、もしくは一致させれば、位置決めピン４０が糸に干渉する事態を完全に防止することができる。【選択図】図３
0003138082.tif 000002
【実用新案登録請求の範囲】
【請求項１】
表面と、表面が陥没して形成した陥凹部と、を有する中軸と、
中軸の両端から径方向に延伸して形成される二つの側壁と、
中軸の陥凹部に装着される位置決めピンと、
を備えることを特徴とするリールのスプール。
【請求項２】
位置決めピンは、中軸の表面の高さに一致する頂端を有することを特徴とする請求項１記載のリールのスプール。
【請求項３】
位置決めピンは、中軸の表面の位置より低い頂端を有することを特徴とする請求項１記載のリールのスプール。
【請求項４】
中軸の陥凹部は、底面と、底面の外縁部に位置するガイド斜面とを有することを特徴とする請求項１記載のリールのスプール。
【請求項５】
中軸の陥凹部は、位置決めピンを差し込むための嵌合孔を有することを特徴とする請求項１記載のリールのスプール。
【請求項６】
位置決めピンの頂端は、ヘッド部を有することを特徴とする請求項１記載のリールのスプール。
【請求項７】
位置決めピンは、中間部にネック部を有することを特徴とする請求項１記載のリールのスプール。
【考案の詳細な説明】
【技術分野】
【０００１】
本考案は、魚釣り用具に関し、特に、リールの作動に支障をきたしたり、糸が絡み合う事態を防止するリールのスプールに関する。
【背景技術】
【０００２】
図１に示すように、周知のリールのスプール１は中軸２と前記中軸２の両側から延伸される二つの側壁３を有し、前記中軸２は中央に糸（図中未表示）の先端を縛るための凸柱部４を有するため、スプール１を回転させることにより糸を前記中軸２に巻くことが可能となる。
【０００３】
しかし、凸柱部４の高さｈは約３．０ｍｍから３．５ｍｍであるため、スプール１から糸を投げ出す場合、前記凸柱部４は前記糸に干渉することが原因で前記糸の投げ出しに支障をきたしたり、前記糸が絡み合う事態を招く可能性がある。特にスプールの収容量が比較的少ない場合、前記凸柱部４の高さを低くすれば、前記糸の先端の固定が容易でなくなる。
【０００４】
図２に示すのは、もう一つの周知のリールのスプール５である。前記スプール５は中軸６と二つの側壁（図中未表示）を有し、前記中軸６は二つの陥凹部７と前記二つの陥凹部７の間に位置する中隔部８とを有し、前記中隔部８は糸（図中未表示）を貫通させ、かつ前記糸と前記スプール５とを結合させるための糸孔９を有する。しかし、このような構造は加工工程があまりも複雑であるため、コストが高くついてしまう。
【考案の開示】
【考案が解決しようとする課題】
【０００５】
本考案は、糸の先端を確実に固定し、かつリールの作動に支障をきたす事態を防止するリールのスプールを提供することを目的とする。
【課題を解決するための手段】
【０００６】
前記の技術問題を解決するため、本考案によるリールのスプールは、中軸と、二つの側壁と位置決めピンとを備え、前記中軸は表面と前記表面が陥没して形成された陥凹部とを有し、前記二つの側壁は前記中軸の両端から径方向に延伸して形成され、前記位置決めピンは前記中軸の前記陥凹部に装着される。このような構成により糸の先端の固定に影響を与えることなく、前記位置決めピンの高さを低くし、かつリールの動作に支障をきたすような事態を確実に防止することができる。
【考案を実施するための最良の形態】
【０００７】
以下、本考案の実施形態について図面に基づいて説明する。
図３と図４が示すように、本考案の一実施形態によるリールのスプール１０は、中軸２０、二つの側壁３０、および位置決めピン４０を含む。スプール１０はスピニングリールまたは任意のリールなどに適用することが可能である。
【０００８】
中軸２０は表面２１と、表面２１が陥没して形成した陥凹部２２と、陥凹部２２に設けられる嵌合孔２５とを有し、中軸２０の陥凹部２２は底面２３と、底面２３の外縁部に位置するガイド斜面２４とを有し、底面２３は平面を呈し、ガイド斜面２４は底面２３を囲むようなＣ形を呈し、嵌合孔２５は陥凹部２２の底面２３に設けられる。
【０００９】
二つの側壁３０は中軸２０の両端から径方向に延伸して一体形成される。位置決めピン４０は中軸２０の嵌合孔２５に差し込まれる身部４２と、身部４２の頂端に位置するネック部と、ネック部４４の頂端に位置するヘッド部４６とを有し、かつ使用者に糸（図中未表示）の先端をネック部４４に容易に縛らせるために、ネック部４４の外径はヘッド部より小さく設定される。また位置決めピン４０の頂端は中軸２０の表面２１の高さに一致するように設けられる。
【００１０】
位置決めピン４０の高さＨは約３．０ｍｍであり、周知の構造の凸柱部の高さとほぼ同じであるため、糸の縛りに支障をきたすことはない。また位置決めピン４０の頂端は中軸２０の表面２１の高さに一致するように設けられるため、スプール１０の収容量が少なくとも前記糸に干渉するような事態は発生せず、かつ前記糸を投げ出すとき、リールの作動に支障をきたしたり、前記糸が絡み合うような事態を防止することが可能である。よって、本考案によるスプールは周知の構造の欠点を確実に改善し、本考案の目的を達成することが可能となる。
【００１１】
本考案の一実施形態は、スプール１０の中軸２０に陥凹部２２を設けることにより、中軸２０の表面２１に対応する位置決めピン４０の頂端の高さを低くし、かつ位置決めピン４０の頂端が中軸２０の表面２１から少々突出しても、位置決めピン４０が糸に干渉するような事態を減少させることを可能にすることである。かつ位置決めピン４０の頂端の位置を中軸２０の前記表面２１より低くするか、もしくは一致させれば、位置決めピン４０が前記糸に干渉するような事態を完全に防止することができる。
本考案の精神により、前記陥凹部の配置位置と形に変化を加えたり、需要に応じ前記位置決めピンの長さと形を変更したりするような構造変化は、本考案の登録請求範囲に属するべきである。
【図面の簡単な説明】
【００１２】
【図１】従来のスプールの正面図である。
【図２】もう一つの従来のスプールの断面図である。
【図３】本考案の一実施形態の正面図である。
【図４】図３の４−４線に沿った断面図である。
【符号の説明】
【００１３】
１：スプール、２：中軸、３：側壁、４：凸柱部、ｈ：高さ、１０：スプール、２０：中軸、２１：表面、２２：陥凹部、２３：底面、２４：ガイド斜面、２５：嵌合孔、３０側壁、４０：位置決めピン、４２：身部、４４：ネック部、４６：ヘッド部、Ｈ：高さ
【図１】
0003138082.tif 000003
【図２】
0003138082.tif 000004
【図３】
0003138082.tif 000005
【図４】
0003138082.tif 000006
(57)【要約】      （修正有） 【課題】マスクを洗浄するために呼吸バブルを何回も抜いたり、差し込んだりするとマスクと呼吸バルブの接合部が外れやすくなるという欠点があり、緊急救護処置の大きな妨げになっている。【解決手段】バルブ本体６上にブロー・パイプ１と連結導管４をつけ、バルブ本体６内に単方向バルブ芯３を作り、ブロー・パイプ１内に濾過層２を作り、ブロー・パイプ１と連結導管４はバルブ芯３の両側にあり、バルブ芯３と通じている。この連結導管４上に固定用凹み５を作ることにより使用時、マスクの固定用突起は連結導管４上にある固定用凹み５に入りこみ、それによって連結導管４とマスク７の結合が固定され、現在の呼吸バルブがマスクから外れやすいという欠陥を克服するものである。【選択図】図１
0003138041.tif 000002
【実用新案登録請求の範囲】
【請求項１】
呼吸バルブは、バルブ本体の他、バルブ本体上にブロー・パイプと連結導管、バルブ本体内に単方向バルブ芯、ブロー・パイプ内に濾過層がある。ブロー・パイプと連結導管はバルブ芯の両側にあり、バルブ芯と通じている。そのような呼吸バルブにおいて、連結導管上に作られた固定用凹みを持つ事を特徴とする呼吸バルブ。
【考案の詳細な説明】
【技術分野】
【０００１】
本考案は、医療機器技術領域に属し、特に救急人工呼吸時に使用する呼吸バルブに関するものである。
【背景技術】
【０００２】
現存の技術においては、緊急救護時には、常に患者に対して人工呼吸を施さなければならず、直接的なマウス・トゥ・マウスによる人工呼吸が、病人と救護人の間に交差感染を容易に引き起こしてしまう。交差感染を避けるために、救急用マスクを使用して緊急救護処置をとる。救急用マスクは、主にマスクと単方向呼吸バルブが結合して出来ている。この呼吸バルブは、通常、マスクとの接合部に直接挿入してあり、緊急救護処置時にマスクを広げて直ちに使用できる。救護人は、呼吸バルブのブロー・パイプを通して、空気を被救護者の口に吹き込み、救急用マスクを使用して、緊急救護処置を行う。救護人は、被救護者の呼気と直接接触しないので、交差感染を減らすことができる。通常の使用の仕方では、マスクの価格高騰により、一般的な状況下ではマスクをきれいに洗って消毒した後、繰り返し使用する。しかし、呼吸バルブ内にある濾過紙と単方向バルブは洗浄をさけるべきなので、呼吸バルブには（呼吸バルブは）、マスクから容易に引き抜けて、マスクの洗浄消毒がしやすくなっていることが要求される。使用中息を吹き込む時及び吸い込む時、呼吸バルブはマスクの動きに合わせて上下移動をする。そのため、呼吸バルブがマスクから外れないよう、呼吸バルブとマスクの連結がしっかり保たれる必要が生じる。何度も差し込むと、接合部の法定誤差範囲内の誤差値に変動が生じ、温度による変化もあり、マスクとの接合部の寸法が、呼吸バルブの接合部分の寸法と次第に近づいていき、マスクと呼吸バルブの接合は、どんどん緩くなって、呼吸バルブがマスクから、ますます外れやすくなっていく。これは、緊急救護処置を行っている救護人にとって、極めて大きな妨げとなり、ひいては救護の時機を逸しかねない。
【考案の開示】
【考案が解決しようとする課題】
【０００３】
従来のマスクはマスクを洗浄するために呼吸バブルを何回も抜いたり、差し込んだりすると接合部が外れやすくなるという欠点があり、緊急救護処置の大きな妨げになっている課題を解決するものである。
【課題を解決するための手段】
【０００４】
本考案の目的は、構造が簡単で、呼吸バルブとマスクが外れることなく安全に使用できる便利な呼吸バルブを提供することであり、次のような仕組みをとることによって実現する。バルブ本体の他、バルブ本体上にブロー・パイプと連結導管をつけ、バルブ本体内に単方向バルブ芯を作り、ブロー・パイプ内に濾過層を作り、ブロー・パイプと連結導管はバルブ芯の両側にあり、バルブ芯と通じている。この連結導管上に固定用凹みを作ることにより使用時、マスクの固定用突起は連結導管上にある固定用凹みに入りこみ、それによって連結導管とマスクの結合が固定され、現在の呼吸バルブがマスクから外れやすいという欠陥を克服している。
【考案の効果】
【０００５】
マスクの固定用突起が連結導管上にある固定用凹みに入りこみ、それによって連結導管とマスクの結合が固定され、現在の呼吸バルブがマスクから外れやすいという欠陥を克服している。かつマスクの洗浄時にはスムーズに取り外すことができる。
【考案を実施するための最良の形態】
【０００６】
以下添付図面にしたがって実施例を説明する。図１においてバルブ本体（６）上にブロー・パイプ（１）がある。バブル本体（６）内に単方向バルブ芯（３）がある。ブロー・パイプ（１）内に濾過層（２）がある。ブロー・パイプ（１）と連結導管（４）はバルブ芯の両側にあり、バルブ芯（３）と通じている。連結導管（４）上に固定用凹み（５）があり、この固定用凹みは呼吸マスクを固定する役目を果たす。
本実用新案の呼吸バルブを使用する時は、図１の連結導管（４）を救急用マスクの接合部にはめ込むだけでよい。マスクは連結導管（４）の固定用凹み（５）によって、しっかりと結合される。固定用凹み（５）はマスク（７）の脱落を防止し、救急処置が正常に行えることを保証する。
【図面の簡単な説明】
【０００７】
【図１】本考案の実施例を示す仕組み図である。
【図２】本考案の実施例を含む全体図である。
【符号の説明】
【０００８】
１  ブロー・パイプ
２  濾過層
３  バルブ芯
４  連結導管
５  固定用凹み
６  バルブ本体
７  マスク
【図１】
0003138041.tif 000003
【図２】
0003138041.tif 000004
【手続補正書】
【提出日】平成19年10月5日(2007.10.5)
【手続補正１】
【補正対象書類名】実用新案登録請求の範囲
【補正対象項目名】全文
【補正方法】変更
【補正の内容】
【実用新案登録請求の範囲】
【請求項１】
単方向バルブ芯を内蔵したバルブ本体の両側に、濾過層を内蔵したブローパイプと、連結導管とを設けた呼吸バルブにおいて、連結導管に固定用凹みをつけた事を特徴とする呼吸バルブ。
(57)【要約】      （修正有）【課題】漁港、ヨットハーバー等の陸上の駐艇場において、ヨット等を固縛するために使用される係船環が、不使用時に危険な突起物となって残っているのを改善する。【解決手段】使用状態で立ち上がる係船環１と不使用状態に係船環を収容する保護枠２のほかに、薄板３、４、Ｕボルト５、ワッシャー６、ナット７及び弾性板８が組み付けられており、それらが強固な下部構造となっているので、上部構造又は全体が使用時に抜け上がり、もしくは不使用時に紛失恐れがない。【選択図】図１
0003138050.tif 000002
【実用新案登録請求の範囲】
【請求項１】
漁港又はヨットハーバー等の陸上駐艇場で使用される係船装置の一種であって、小型漁船又はヨットを固縛している場合には、係船環がロープに引き上げられて立ち上がっているが、不使用時には係船環が自重で倒れ、保護枠の中に収納されて平坦な状態になるから、歩行者がつまづかず、車両が乗り上げない安全な係船装置。
【請求項２】
使用状態で立ち上がる係船環と不使用状態に係船環を収容する保護枠のほかに、薄板３枚、Ｕボルト、ワッシャー、ナット２個及び弾性板が組み付けられており、それらが強固な下部構造となっているので、上部構造又は全体が使用時に抜け上がり、もしくは不使用時に紛失する恐れが絶対にない係船装置。
【考案の詳細な説明】
【技術分野】
【０００１】  漁港、ヨットハーバー等の港湾において、小型の漁船、ヨット、モーターボート等は船台又はコロに載せて陸上に引き上げ、駐艇場の舗装面において各艇に割り当てられた区画に保管する場合が多い。各保管区画には、各艇を固縛する目的で、２本ないし４本のアイボルト、又は類似の環が立設されている。海から戻った利用者は水際の斜面でヨットを自分の船台に載せ、保管区域まで引き上げて収容し、２本ないし４本のロープで艇を固縛して帰宅することになる。それとは逆に、小型艇が出港したあとには突起したアイボルト２本ないし４本が区画に残され、特に、ヨットレースの当日などで多数の艇が出港すれば、駐艇場に残されたアイボルトの数も当然多数になる。その結果、歩行者がつまづいて転倒し、又は車両が乗り上げて、互いに破損する危険性が増大するので、これを防止する技術が必要となっている。
【背景技術】
【０００２】  小型船舶を陸上に引き上げて固縛する方法は、漁港、ヨットハーバー等でそれぞれ工夫しているが、例えば大型のアイボルトの雄ねじ部分を地中に埋設してアイ部分を地上に突出させる。又は、大型のボルトの大部分を逆さまに地中に埋設し、地上に残した雄ネジ部分にアイナットの雌ネジをねじこんで地上に突出させるなど、結果的に危険な部分が地上に残る方法が多く用いられている。また、鋼材の表面処理が不十分であって腐食が進むとか、ネジがほどかれてアイナットが紛失するなどの問題が散見されている。
【考案の開示】
【考案が解決しようとする課題】
【０００３】  漁港、ヨットハーバー等の港湾において、小型艇の陸上保管のために使用される係船装置が不使用時に危険な突起物とならないようにする。
【課題を解決するための手段】
【０００４】  本考案は、海水の腐食に耐えるステンレス鋼を材料とし、部品１０個が予め強く組み立てられ、使用状態では上部中央にある係船環が固縛用のロープに引き上げられて立ち上がっているが、ロープをほどけば自重で倒れて水平になり、これを受け入れるために設けられている保護枠に緩く内接して舗装面以下に横たわる。その結果、駐艇場の舖装面に残される危険な突起物の問題を解決することができる。
【考案の効果】
【０００５】  従来から、各地の漁港、ヨットハーバー等の陸上施設において立設されている旧型の各種係船環に代わって、本考案が採用されるならば、安全で快適な小型艇の保管方法として貢献することができる。【０００６】  港湾以外でも、各種の倉庫、工場、展示場等において、一時的な間仕切り等の目的で天井から幕を懸垂し、その下辺を床に結びつけるために、係船装置に類似した突起物を使用するなど、足元を危険にしている場合があることを伝聞している。この種の危険を防止するためにも本考案を適用することができる。
【考案を実施するための最良の形態】
【０００７】  標準的なヨットハーバーにおいて、小型ヨットを船台に載せて陸上に保管するために埋設する本考案の係船装置を３方向から図示すれば図１、図２及び図３のようになる。【０００８】  連続的に多数の保管区画を設けている駐艇場では、図４のように、最初の区画においては２本の境界線に本考案の係船装置４個を配置する必要があるが、係船環は逐次共用できるから、隣接する区画においては各１本の境界線に係船装置２個を配置すればよい。【０００９】  漁港において、小型の漁船をコロに載せて陸上に保管する場合にも、小型ヨットを保管する場合と同様に、突起物である係船装置が利用される場合が多い。この対策としても、本考案の係船装置で若干大型のものを製作して設置すれば、歩行者がつまづき、又は車両が乗り上げる危険を防止することができる。
【図面の簡単な説明】
【００１０】
【図１】本考案の係船装置を舗装面と同じレベルに埋設し、その最上部にある係船環にロープを結んで船台上のヨットを固縛している状態を示す立面図である。
【図２】図１と同じ状態にある本考案の係船装置を示す側面図である。
【図３】ヨットを収容していない状態を示す平面図である。ここではヨットをロープで固縛していないので、係船環は自重で倒れて保護枠に緩く内接するように横たわっており、舗装面は一切突起物が存在しない安全地帯になっている。
【図４】駐艇場において、ある保管区画にヨットを収容して固縛すれば、本考案の係船環がロープに従って立ち上がっているが、ヨットが出港して空席になっている保管区画においては、係船環が自重で倒れて保護枠の中に横たわる様子を示す図である。
【符号の説明】
【００１１】１  係船環
２  保護枠
３  長手方向に渡す水平板
４  横方向に渡す連結板
５  逆さに取り付けるＵボルト
６  ２穴の長いワッシャー
７  ナット２個
８  上部をゆるく曲げてあるのでナットの締め付けに対応して適度に変形してスプリングワッシャーと同じ効果を有し結果的に装置全体を一体構造にする弾性板
９  船台に載せられているヨット
１０  ヨットを固縛しているロープ
【図１】
0003138050.tif 000003
【図２】
0003138050.tif 000004
【図３】
0003138050.tif 000005
【図４】
0003138050.tif 000006
(57)【要約】【課題】      スーパーマーケット等での買い物の際、レジ袋を使用せず、かつ精算後の客自身による商品の詰め替え作業が不要になる、バッグのように使用できるループ付きエコふろしきを提供する。【解決手段】    スーパーマーケット等での買い物の際、精算時に空の買い物かごにループをつけたふろしき５を敷いてからレジ係に商品を入れてもらうことより、精算後の客自身の詰め替え作業が不要となる。さらに、角隅をループを通してから結ぶことによりバッグのように安定した形で使用できるふろしきとなる。レジ袋を使用しないので、環境保全に役立つことができる。【選択図】図４
0003138049.tif 000002
【実用新案登録請求の範囲】
【請求項１】
正方形のふろしき本体５の２つの交わる対角線の中心の脇にループを付けて、角隅をループに通して結ぶことにより、手提げ、もしくは肩掛けバッグとして安定した形状で使用できることを特徴とするふろしき。
【請求項２】
請求項１記載のループ付ふろしきを買い物かごの中に敷いてから精算することで、客自身の商品の詰め替えが不要となることを特徴としたふろしき。
【考案の詳細な説明】
【技術分野】
【０００１】  本考案は、スーパーマーケット等での買い物時に使用できるループを設けたふろしきに関する。
【背景技術】
【０００２】  近年、スーパーマーケット等での買い物の際、環境問題を考慮してレジ袋の代わりになるもの（エコバッグ等）を持参する人が増えてきたが、精算後はレジ袋と同様に客自身が詰め替えて持ち帰っていた。
【考案の開示】
【考案が解決しようとする課題】
【０００３】  空の買い物かごにふろしきを敷いてから、レジ係に品物を入れてもらうことにより精算後の客自身の詰め替え作業が不要になり、さらに、ループを通すことによりバッグのように使用できるふろしきを提供する。
【課題を解決するための手段】
【０００４】  スーパーマーケット等では、空のかごに商品を移しながら精算する方法が多く、あらかじめ空のかごにふろしき５を敷いておけば、精算が終わった時にかごに入っている状態で袋にできる。【０００５】  ふろしき５にループを付けて、角隅をループに通してから結ぶことにより、バッグのように安定した形のふろしきとなる。
【考案の効果】
【０００６】  スーパーマーケット等でのビニール袋の過剰使用を減らすことになるので、環境保全に役立つことができる。【０００７】  精算後の袋詰めのカウンターが大変混雑するのが、詰め替え不要になるとスピーディーになり混雑が解消される。【０００８】  購入品の量に合わせて結び目の位置を調節することによって袋の大きさが大小自在にでき、かつ、ループに通すため袋の形が整い安定する。持ち手部分の結び目の位置を調節することで手提げバッグとしても肩掛けバッグとしても使用することができる。【０００９】  重たいビニール袋は手にくい込むので痛いが、ふろしきだと解消される。素材は綿、麻、ポリエステル、ナイロン等で作ると、丈夫でかつ洗濯可能で清潔である。素材により防水加工も可能である。従来のふろしきのように用途が多数あり、小さく折りたたむことが可能なので携帯が容易である。
【考案を実施するための最良の形態】
【００１０】  図１、及び図８に従い具体的に説明する。
一辺の長さが１１０ｃｍの正方形のふろしきの対角線の中心から両脇２５ｃｍのところにループ（例．幅１．５ｃｍ、長さ２０ｃｍの布を４ｃｍ重ねて輪にしたもの）をつける。【００１１】  このふろしき５を空の買い物かご６にループが付いた側を外側にして敷いておき、レジ係にレジを通した品物を順に入れていってもらう。精算終了後はかごに入った状態のまま、図２に従い角隅１と３を結び持ち手とする。図３に従い、ループＢに通した角隅２とループＡに通した角隅４を、持ち手部分とした角隅１と３の結び目の下で結ぶ。図４は商品を包んだふろしき５をかごから出した状態である。【００１２】  持ち手部分となる角隅１と３の結び目の位置を調節することにより図５のように腕に提げたり、図６のように肩にかけて使用することができる。【００１３】  ループ部Ａ，Ｂの変形例として、図８はゴム製の伸縮性のあるバンド、図９はひも、図１０はリング（丸型の他に、四角型、三角型等）の代用が可能である。
【図面の簡単な説明】
【００１４】
【図１】本考案のループ付エコふろしきの平面図である。
【図２】本ふろしきを買い物かごの中に敷いて、持ち手を結んだ状態図である。
【図３】本ふろしきのループを通して結んだ状態図である。
【図４】本ふろしきで購入品を包んで買い物かごから出した状態図である。
【図５】本ふろしきを腕に掛けた使用図である。
【図６】本ふろしきを肩に掛けた使用図である。
【図７】本ふろしきのループの拡大説明図である。
【図８】ループの変形例として、ゴム製の伸縮性のあるバンドを設けた拡大説明図である。
【図９】ループの変形例として、ひもを設けた拡大説明図である。
【図１０】ループの変形例として、リングを設けた拡大説明図である。
【符号の説明】
【００１５】１，２，３，４    角隅
５          ふろしき
６          買い物かご
Ａ，Ｂ        ループ
【図１】
0003138049.tif 000003
【図２】
0003138049.tif 000004
【図３】
0003138049.tif 000005
【図４】
0003138049.tif 000006
【図５】
0003138049.tif 000007
【図６】
0003138049.tif 000008
【図７】
0003138049.tif 000009
【図８】
0003138049.tif 000010
【図９】
0003138049.tif 000011
【図１０】
0003138049.tif 000012